(57)【要約】      （修正有）【課題】紙幣を長期間保存しておいても紙幣が痛まず、また１００枚単位をすぐに認識することができ、総資産の把握が容易となり、資産形成にも役立つ紙幣を封緘するための紙帯を提供する。【解決手段】紙帯３は全体の長さを２７０ミリ、横幅２０ミリとする断裁した細長い紙からなり、一辺の端に対して、約１８ミリ角の正方形の両面テープを貼り付けたものである。テープのついていない面の紙帯を札束の中心かつ図柄の中ほど程度に挟み込み、紙帯を１周させる。そして紙帯の終わり地点で両面テープの剥離紙をはがし、紙帯を接着させ、封緘する。【選択図】図３
0003220290.tif 000002
【実用新案登録請求の範囲】
【請求項１】
全体の長さを約２７０ミリ、横幅約２０ミリとする断裁した細長い紙を用意し、一辺の端に対して、約１８ミリ角の正方形の両面テープを貼り付けた紙帯。
【考案の詳細な説明】
【技術分野】
【０００１】  本考案は、１万円札１００枚の札束を封緘するための紙帯について、最適な長さで封緘でき、かつそれに対して両面テープをつけることによって封緘を容易にし、紙幣を痛めること無く長期間保管することのできる紙帯を提供するものである。
【背景技術】
【０００２】  従来の紙幣用の紙帯は、主に銀行や金融機関内だけで流通し、一般市場には流通していなかった。これは銀行側などの金融機関の立場からすれば不正防止等の観点や、輪ゴム等で代替できると思われていたことから、一般には流通していなかった。
しかしながら一般家庭において、特に富裕層においては、１００万円あるいは数千万円の現金をタンス預金する家庭は意外に多く、札束を美しく長期間保管したいというニーズは潜在的に存在した。しかし１００万円を輪ゴムでとめる場合、時間が経過するとともに、輪ゴムのあとがついたり、食い込んだり、劣化により輪ゴムが切れて紙幣がバラバラになったり、痛んだりするという問題があった。このような欠点に対応する紙帯は市場に流通せず、類似の先行技術として、特許文献１のような「施封小束管理装置」があるが、高度な機械であり、一般家庭には不向きで上述の従来の欠点を解消するものではない。
【先行技術文献】
【特許文献１】公開特許公報２０１１−２４８４４９号
【考案の概要】
【考案が解決しようとする課題】
【０００３】  本来、１００万円の札束は銀行等の金融機関からの窓口出金の際に、紙帯で封緘して渡されるものであるが、一般の人が１００万円をタンス預金で貯めたからといって、自分で紙帯を使って封緘する方法はなかった。このため一般の人は１００万円毎に封筒にいれたり、あるいは輪ゴムでとめたりするのが一般的であった。しかし１００万円を輪ゴムでとめる場合、時間が経過するとともに、輪ゴムのあとがついたり、食い込んだり、あるいは劣化で輪ゴムが切れることにより、紙幣がバラバラになったりするという問題があった。また封筒の場合は中身が見えず、また封筒の分だけ嵩が増えるという問題があった。
【課題を解決するための手段】
【０００４】  上記課題を解決するため、本考案のテープ付紙帯は全体の長さを２７０ミリ、横幅２０ミリとする断裁した細長い紙を用意し、一辺の端に対して、約１８ミリ角の正方形の両面テープを貼り付けたものである。テープのついていない面の紙帯を札束の中心かつ図柄の中ほど程度に挟み込み、紙帯を１周させる。そして紙幣の終わり地点で両面テープの剥離紙をはがし、紙帯を接着させることにより、封緘を完了する。
【考案の効果】
【０００５】  本考案により、紙幣を長期間保存しておいても、紙幣が痛まず保管が可能となる。また紙帯が装着されていることにより、１００枚単位をすぐに認識することができ、総資産の把握が容易となり、資産形成にも役立つ。【０００６】  常に現金の数を正確に把握し、かつ美しく保管することは、特に高齢の富裕層が好む資産貯蓄方法である。
【図面の簡単な説明】
【図１】（Ａ）は、１万円を１００枚もっている図である。（Ｂ）は、１００万円を半分に分けている図である。（Ｃ）は、半分に分けた札束の間に紙帯のテープの無い方を挿入している図である。（Ｄ）は紙帯で札束を巻き始めている図である。（Ｅ）は紙帯を１周させ、札束を巻いている図である。（Ｆ）は札束を巻き終えた紙帯のテープ部の剥離紙を剥がしてテープで接着し、封緘しようとしている図である。
【考案を実施するための形態】
【０００７】  以下、本考案のテープ付紙帯の実施例について図に基づいて説明する。（Ａ）は、１万円を１００枚もっている図である。（Ｂ）は、１００万円を半分に分けている図である。（Ｃ）は、半分に分けた札束の間に紙帯のテープの無い方を挿入している図である。（Ｄ）は紙帯で札束を巻き始めている図である。（Ｅ）は紙帯を１周させ、札束を巻いている図である。（Ｆ）は札束を巻き終えた紙帯のテープ部の剥離紙を剥がしてテープで接着し、封緘しようとしている図である。
【０００８】  図１において、テープ付紙帯は１万円札１００枚のための紙帯であるが、５千円札、千円札にも適用が可能であり、長すぎる場合は両面テープのついていない側の紙帯の余分な部分を切断することにより、よりその紙幣に適した長さとなりうる。紙帯の材質は、上質紙、クラフト紙等のひっぱり強度に強い材質のものが適している。
【符号の説明】１  １万円札が１００枚の札束
２  １００万円の札束をほぼ２分の１に分けた場合の中心点
３  紙帯
４  紙帯の両面テープの剥離紙部分
【図１】
0003220290.tif 000003
0003220290.tif 000004
0003220290.tif 000005
【手続補正書】
【提出日】平成30年8月31日(2018.8.31)
【手続補正１】
【補正対象書類名】図面
【補正対象項目名】全図
【補正方法】変更
【補正の内容】
【図１】
0003220290.tif 000006
【図２】
0003220290.tif 000007
【図３】
0003220290.tif 000008
【図４】
0003220290.tif 000009
【図５】
0003220290.tif 000010
【図６】
0003220290.tif 000011
【手続補正２】
【補正対象書類名】明細書
【補正対象項目名】全文
【補正方法】変更
【補正の内容】
【考案の詳細な説明】
【技術分野】
【０００１】
本考案は、１万円札１００枚の札束を封緘するための紙帯について、最適な長さで封緘でき、かつそれに対して両面テープをつけることによって封緘を容易にし、紙幣を痛めること無く長期間保管することのできる紙帯を提供するものである。
【背景技術】
【０００２】
従来の紙幣用の紙帯は、主に銀行や金融機関内だけで流通し、一般市場には流通していなかった。これは銀行側などの金融機関の立場からすれば不正防止等の観点や、輪ゴム等で代替できると思われていたことから、一般には流通していなかった。
しかしながら一般家庭において、特に富裕層においては、１００万円あるいは数千万円の現金をタンス預金する家庭は意外に多く、札束を美しく長期間保管したいというニーズは潜在的に存在した。しかし１００万円を輪ゴムでとめる場合、時間が経過するとともに、輪ゴムのあとがついたり、食い込んだり、劣化により輪ゴムが切れて紙幣がバラバラになったり、痛んだりするという問題があった。このような欠点に対応する紙帯は市場に流通せず、類似の先行技術として、特許文献１のような「施封小束管理装置」があるが、高度な機械であり、一般家庭には不向きで上述の従来の欠点を解消するものではない。
【先行技術文献】
【特許文献】
【０００３】
【特許文献１】公開特許公報２０１１―２４８４４９号
【考案の概要】
【考案が解決しようとする課題】
【０００４】
本来、１００万円の札束は銀行等の金融機関からの窓口出金の際に、紙帯で封緘して渡されるものであるが、一般の人が１００万円をタンス預金で貯めたからといって、自分で紙帯を使って封緘する方法はなかった。このため一般の人は１００万円毎に封筒にいれたり、あるいは輪ゴムでとめたりするのが一般的であった。しかし１００万円を輪ゴムでとめる場合、時間が経過するとともに、輪ゴムのあとがついたり、食い込んだり、あるいは劣化で輪ゴムが切れることにより、紙幣がバラバラになったりするという問題があった。また封筒の場合は中身が見えず、また封筒の分だけ嵩が増えるという問題があった。
【課題を解決するための手段】
【０００５】
上記課題を解決するため、本考案のテープ付紙帯は全体の長さを２７０ミリ、横幅２０ミリとする断裁した細長い紙を用意し、一辺の端に対して、約１８ミリ角の正方形の両面テープを貼り付けたものである。テープのついていない面の紙帯を札束の中心かつ図柄の中ほど程度に挟み込み、紙帯を１周させる。そして紙帯の終わり地点で両面テープの剥離紙をはがし、紙帯を接着させることにより、封緘を完了する。
【考案の効果】
【０００６】
本考案により、紙幣を長期間保存しておいても、紙幣が痛まず保管が可能となる。また紙帯が装着されていることにより、１００枚単位をすぐに認識することができ、総資産の把握が容易となり、資産形成にも役立つ。
【０００７】
常に現金の数を正確に把握し、かつ美しく保管することは、特に高齢の富裕層が好む資産貯蓄方法である。
【図面の簡単な説明】
【０００８】
【図１】は、１万円を１００枚もっている図である。
【図２】は、１００万円を半分に分けている図である。
【図３】は、半分に分けた札束の間に紙帯のテープの無い方を挿入している図である。
【図４】は紙帯で札束を巻き始めている図である。
【図５】は紙帯を１周させ、札束を巻いている図である。
【図６】は札束を巻き終えた紙帯のテープ部の剥離紙を剥がしてテープで接着し、封緘しようとしている図である。
【考案を実施するための形態】
【０００９】
以下、本考案のテープ付紙帯の実施例について図に基づいて説明する。図１は、１万円を１００枚もっている図である。図２は、１００万円を半分に分けている図である。図３は、半分に分けた札束の間に紙帯のテープの無い方を挿入している図である。図４は紙帯で札束を巻き始めている図である。図５は紙帯を１周させ、札束を巻いている図である。図６は札束を巻き終えた紙帯のテープ部の剥離紙を剥がしてテープで接着し、封緘しようとしている図である。
【００１０】
図１〜６において、テープ付紙帯は１万円札１００枚のための紙帯であるが、５千円札、千円札にも適用が可能であり、長すぎる場合は両面テープのついていない側の紙帯の余分な部分を切断することにより、よりその紙幣に適した長さとなりうる。紙帯の材質は、上質紙、クラフト紙等のひっぱり強度に強い材質のものが適している。
【符号の説明】
【００１１】
１  １万円札が１００枚の札束
２  １００万円の札束をほぼ２分の１に分けた場合の中心点
３  紙帯
４  紙帯の両面テープの剥離紙部分